(57)【要約】【課題】塵埃を掻き出し可能な範囲を拡大した床ブラシを提供する。【解決手段】床ブラシ23は、ケース体31を有する。床ブラシ23は、ケース体31の下部に開口するとともに両側がケース体31の側部に開口するブラシ収容部44をケース体31に有する。床ブラシ23は、ブラシ収容部44の両側よりも中心側の位置に軸受部53，53を有する。床ブラシ23は、外周に各毛ブラシ部79，88，97を備え、軸受部53，53を両側から挟んで互いに連結して軸受部53，53に軸支した複数の回転ブラシ61，62，63をブラシ収容部44の両側近傍間に亘って収容する。【選択図】図１
2013102861.tif 000002
【特許請求の範囲】
【請求項１】
ケース体と、
このケース体に設けられ、このケース体の下部に開口するとともに両側がこのケース体の側部に開口する回転清掃体収容部と、
この回転清掃体収容部の両側よりも中心側の位置に設けられた軸受部と、
外周に清掃部材を備え、前記回転清掃体収容部にそれぞれ収容され、前記軸受部を両側から挟んで互いに連結されこの軸受部に軸支されて前記回転清掃体収容部の両側近傍間に亘って位置する複数の回転清掃体と
を具備したことを特徴とした電気掃除機の吸込口体。
【請求項２】
軸受部は、回転清掃体収容部を複数の収容部に区画し、
前記収容部のいずれか一つと連通してケース体に設けられた吸込風路と、
前記軸受部の近傍にて残りの他の前記収容部に連通して前記ケース体に設けられ、前記吸込風路と連通する連通風路とを具備した
ことを特徴とした請求項１記載の電気掃除機の吸込口体。
【請求項３】
少なくともいずれかの回転清掃体の清掃部材の少なくとも一部は、軸受部を覆うように傾斜状に突出している
ことを特徴とした請求項１または２記載の電気掃除機の吸込口体。
【請求項４】
いずれかの回転清掃体は、接続部を備え、
前記回転清掃体を駆動させる駆動手段と、
この駆動手段と前記接続部とを接続するベルトとを具備し、
前記回転清掃体の清掃部材の少なくとも一部は、前記ベルトおよび前記接続部を覆うように傾斜状に突出している
ことを特徴とした請求項１ないし３いずれか一記載の電気掃除機の吸込口体。
【請求項５】
回転清掃体収容部に突設され、ベルトを収容するとともに、先端側が、前記ベルト側へと傾斜した清掃部材を掻き分けるガイド部を具備した
ことを特徴とした請求項４記載の電気掃除機の吸込口体。
【請求項６】
電動送風機を収容した掃除機本体と、
前記電動送風機の吸込側に連通する請求項１ないし５いずれか一記載の吸込口体と
を具備したことを特徴とした電気掃除機。
【発明の詳細な説明】
【技術分野】
【０００１】
本発明の実施形態は、ケース体に回転可能に軸支される回転清掃体を有する電気掃除機の吸込口体およびこれを備えた電気掃除機に関する。
【背景技術】
【０００２】
従来、例えばキャニスタ型の電気掃除機などに用いられる吸込口体としての床ブラシは、横長のケース体と、このケース体から突出して延長管に接続される接続管とを有している。ケース体には、被掃除面としての床面に対向する下部に横長の吸込口が形成されており、この吸込口内に回転清掃体としての回転ブラシが回転可能に配置されている。
【０００３】
回転ブラシは、両端が吸込口の両側に形成された壁部に軸支されている。そのため、壁部の位置では塵埃を床面から掻き出すことが容易でない。
【先行技術文献】
【特許文献】
【０００４】
【特許文献１】特開平２−１０４３２２号公報
【発明の概要】
【発明が解決しようとする課題】
【０００５】
本発明が解決しようとする課題は、塵埃を掻き出し可能な範囲を拡大した電気掃除機の吸込口体およびこれを備えた電気掃除機を提供することである。
【課題を解決するための手段】
【０００６】
実施形態の吸込口体は、ケース体を有する。また、この吸込口体は、ケース体に設けられ、ケース体の下部に開口するとともに両側がこのケース体の側部に開口する回転清掃体収容部を有する。さらに、この吸込口体は、回転清掃体収容部の両側よりも中心側の位置に設けられた軸受部を有する。そして、この吸込口体は、外周に清掃部材を備え、回転清掃体収容部にそれぞれ収容され、軸受部を両側から挟んで互いに連結されこの軸受部に軸支されて回転清掃体収容部の両側近傍間に亘って位置する複数の回転清掃体を有する。
【図面の簡単な説明】
【０００７】
【図１】第１の実施形態の吸込口体を下側から示す平面図である。
【図２】同上吸込口体の回転清掃体を除去して下側から示す平面図である。
【図３】同上吸込口体の一部を示す斜視図である。
【図４】同上吸込口体の一部を示す分解図である。
【図５】(a)は同上吸込口体の回転清掃体の一部を示す側面図、(b)は同上吸込口体の回転清掃体の他の一部を側面図である。
【図６】同上吸込口体のケース体の一部を示す縦断側面図である。
【図７】同上吸込口体のケース体の一部を示す縦断正面図である。
【図８】同上吸込口体を備えた電気掃除機を示す斜視図である。
【図９】第２の実施形態の吸込口体を下側から示す平面図である。
【図１０】同上吸込口体の一部を示す分解図である。
【図１１】(a)は同上吸込口体の回転清掃体の一部を示す側面図、(b)は同上吸込口体の回転清掃体の他の一部を側面図である。
【図１２】同上吸込口体のケース体の一部を示す縦断正面図である。
【発明を実施するための形態】
【０００８】
以下、第１の実施形態の構成を図１ないし図８を参照して説明する。
【０００９】
図８において、11はいわゆるキャニスタ型の電気掃除機を示し、この電気掃除機11は、掃除機本体12と、この掃除機本体12に着脱可能に接続される風路形成体である管部13とを有している。
【００１０】
掃除機本体12は、被掃除面としての床面上を旋回および走行可能であり、電動送風機18、この電動送風機18の動作を制御する図示しない本体制御部、および、これら電動送風機18および本体制御部などに給電するための電源部などを収容しているとともに、電動送風機18の吸込側に連通する図示しない集塵部を備えている。また、掃除機本体12の前部には、集塵部に連通するとともに管部13の基端側が接続される本体吸込口19が開口形成されている。
【００１１】
また、管部13は、ホース体21と、このホース体21に対して着脱可能な延長管22と、この延長管22に対して着脱可能な吸込口体としての床ブラシ23とを備えている。
【００１２】
ホース体21は、可撓性を有するホース部25と、このホース部25の基端側(下流側)に設けられ本体吸込口19に接続される接続管部26と、ホース部25の先端側(上流側)に設けられた手元操作部27とを有している。
【００１３】
手元操作部27には、延長管22の基端側(下流側)が着脱可能に接続される。また、この手元操作部27には、作業者が把持する把持部28が基端側に突出して形成されており、この把持部28には電動送風機18の動作モードを本体制御部に設定するための設定ボタン29が配置されている。
【００１４】
また、図１ないし図８に示すように、床ブラシ23は、左右幅方向に長手状、すなわち横長に形成されたケース体31と、このケース体31の後部に突出し延長管22の先端側(上流側)に着脱可能に接続される接続管32とを備えている。
【００１５】
ケース体31は、例えば上側が開口した横長の下ケース35、この下ケース35の上側を覆う横長の上ケース36、および、これら下ケース35と上ケース36とにより挟持されるバンパ37により構成されている。
【００１６】
下ケース35は、平面視で横長の略長方形状の下ケース本体41と、この下ケース本体41の後部中央から後方に突出する突出部42とを一体に備え、平面視で略凸字状となっている。下ケース本体41の床面に対向する下面には、前端に対して後方に離間された位置に、左右方向(長手方向)に沿って直線状の回転清掃体収容部としてのブラシ収容部44が凹設されており、このブラシ収容部44の前部に、複数の吸引口45が形成されている。また、下ケース本体41の下面には、ブラシ収容部44の前方でかつ吸引口45と異なる位置に起毛布47が例えば互いに左右対称な位置に配置されている。さらに、突出部42の後部には、床面に接触して従動回転する従動輪である走行輪48，48が接続管32の両側に回転可能に軸支されている。
【００１７】
ブラシ収容部44は、下側がケース体31(下ケース35)の下部に開口しているとともに、左右両側に一方および他方の連通口51，51が形成されている。これら連通口51，51は、ケース体31(下ケース35)の両側外部とブラシ収容部44とを連通するものであり、ケース体31(下ケース35)の側面部52，52の下端側を円弧状に切り欠いて形成されている。また、ブラシ収容部44内には、このブラシ収容部44の両側よりも左右幅方向(長手方向)の中心側の位置で、かつ、このブラシ収容部44を左右幅方向(長手方向)に略三等分する位置に、一方および他方の軸受部53，53が壁状に突設されている。すなわち、これら軸受部53，53によって、ブラシ収容部44は、収容部である第１ないし第３の収容部55〜57に分割されている。さらに、これら第１ないし第３の収容部55〜57には、回転清掃体としての第１ないし第３の回転ブラシ61〜63が回転可能に収容されている。そして、第１の回転ブラシ61と第２の回転ブラシ62と、および、第２の回転ブラシ62と第３の回転ブラシ63とが、それぞれ軸受体64を介して軸受部53を挟み込んで配置され、ブラシ収容部44の両側近傍間、すなわち一方および他方の連通口51，51近傍間に亘って位置している。したがって、このブラシ収容部44は、回転ブラシ室である。なお、ブラシ収容部44の両側近傍(一方および他方の連通口51，51近傍)とは、ブラシ収容部44の両側(一方及び他方の連通口51，51)に接近したブラシ収容部44の内方の位置、ブラシ収容部44の両側(一方及び他方の連通口51，51)すなわちケース体31の側面部52，52と面一な位置、および、ブラシ収容部44の両側(一方及び他方の連通口51，51)すなわちケース体31の側面部52，52からブラシ収容部44の外部へと若干突出した位置をそれぞれ含むものとする。
【００１８】
各軸受部53は、前後方向に沿って面方向を有しており、ブラシ収容部44の上側から下側に向けて突設されている。したがって、これら各軸受部53によって、第１ないし第３の収容部55〜57は、互いに連通しない状態、すなわち通気が遮断された状態で区画されている。また、各軸受部53の下端部には、各軸受体64が嵌合される四角形状の嵌合部65が切り欠き形成されており、この嵌合部65の前後に対向する両側縁部には、各軸受体64を各軸受部53に係止固定するための半円状の係合凹部66，66が切り欠き形成されている。さらに、各軸受部53の下端部の左右両側は、先端側へと互いに接近するように傾斜した傾斜状の傾斜部67，67となっている。すなわち、これら傾斜部67，67により、各軸受部53は、先端側ほど細くなるように形成されている。
【００１９】
第１の収容部55は、一方の連通口51を介してケース体31(下ケース35)の一側外部と連通している。また、この第１の収容部55には、一方の軸受部53の近傍に、(一方の)吸気口68が形成されている。
【００２０】
また、第２の収容部56は、第１の収容部55と第３の収容部57との間に位置しており、ケース体31(下ケース35)の両側外部と連通していない。さらに、この第２の収容部56の後部には、吸込口71が形成されている。この吸込口71は、ケース体31の内部に区画された吸込風路72を介して床ブラシ23の接続管32に連通している。
【００２１】
また、第３の収容部57は、他方の連通口51を介してケース体31(下ケース35)の他側外部と連通している。また、この第３の収容部57には、他方の軸受部53の近傍に、(他方の)吸気口74が形成されている。
【００２２】
そして、第１の収容部55の吸気口68と第３の収容部57の吸気口74とは、ブラシ収容部44の上部から後部に亘ってケース体31内に形成された連通風路75を介して互いに連通している。この連通風路75は、下ケース35と上ケース36との間に、吸込風路72とは別個に左右幅方向に長手状に形成されており、この吸込風路72に対して連通している。
【００２３】
また、第１の回転ブラシ61は、第１の収容部55に左右幅方向(長手方向)に沿って収容されるものであり、第１の軸部としての略円柱状(円筒状)の第１のブラシ台77と、この第１のブラシ台77の他端側を保持して一方の軸受体64により一方の軸受部53に軸支される第１の保持部としての第１の受板78とを有している。すなわち、この第１の回転ブラシ61は、一方の軸受部53により片持ち支持されている。そして、第１のブラシ台77と第１の受板78との外周面には、清掃部材である第１の清掃部材としての第１の毛ブラシ部79が突出している。
【００２４】
第１のブラシ台77は、一端側が一方の連通口51からケース体31(下ケース35)の一側に露出し、この一方の連通口51からケース体31(下ケース35)の側方へと若干突出している。
【００２５】
また、第１の受板78は、平坦な円柱状に形成されており、軸方向の一端側に、第１のブラシ台77の他端側が挿入嵌合される第１の嵌合凹部78aが凹設されているとともに、軸方向の他端側に、一方の軸受体64に挿入される円筒状(ボス状)の第１の連結部78bが突設されている。
【００２６】
さらに、第１の毛ブラシ部79は、第１のブラシ台77の外周面から突出する第１の軸部清掃部材としての第１のブラシ台毛ブラシ部81と、第１の受板78の外周面から突出する第１の保持部清掃部材としての第１の受板毛ブラシ部82とを備えている。
【００２７】
第１のブラシ台毛ブラシ部81は、多数の毛ブラシが第１のブラシ台77の径方向に沿って放射状(直線状)に突出するとともに、第１のブラシ台77の軸方向の両端間に亘って連続的に配置されて構成され、例えば全体として螺旋状となっている。
【００２８】
また、第１の受板毛ブラシ部82は、多数の毛ブラシが第１の受板78の外周面に対して略垂直状に突出して構成された第１の直毛部82aと、多数の毛ブラシが第１の受板78の外周面に対して傾斜状に突出して構成された第１の傾斜毛部82bとを有し、複数、例えば２つの第１の直毛部82aと、複数、例えば２つの第１の傾斜毛部82bとが、第１の受板78の周方向に交互に配置されている。すなわち、第１の直毛部82aと第１の傾斜毛部82bとは、第１の受板78の周方向に所定角度(９０°)ずつ配置されている。
【００２９】
第１の直毛部82aは、床ブラシ23を床面上に載置した状態で直下の床面と接触し、この床面に付着した(入り込んだ)塵埃を掻き出すものである。
【００３０】
また、第１の傾斜毛部82bは、一方の軸受体64側へと、この一方の軸受体64を覆うように例えば４５°程度の角度で傾斜している。すなわち、この第１の傾斜毛部82bは、第２の回転ブラシ62側へと傾斜している。また、この第１の傾斜毛部82bは、第１の受板78の外周面からの径方向に沿う突出寸法L1が、第１の受板78の外周面からの径方向に沿う第１の直毛部82aの突出寸法L2と略等しく設定されている。すなわち、第１の傾斜毛部82bの先端と第１の直毛部82aの先端とは、第１の受板78の中心軸を中心とする同一円周上に位置している。そして、この第１の傾斜毛部82bは、床ブラシ23を床面上に載置した状態で一方の軸受部53の下方の床面と接触し、この一方の軸受部53の下方の床面に付着した(入り込んだ)塵埃を掻き出すものである。
【００３１】
また、第２の回転ブラシ62は、第２の収容部56に左右幅方向(長手方向)に沿って収容されるものであり、第２の軸部としての略円柱状(円筒状)の第２のブラシ台85と、この第２のブラシ台85の一端側を保持して一方の軸受体64により一方の軸受部53に軸支される第２の一端側保持部としての第２の一端側受板86と、第２のブラシ台85の他端側を保持して他方の軸受体64により他方の軸受部53に軸支される第２の他端側保持部としての第２の他端側受板87とを有している。すなわち、この第２の回転ブラシ62は、軸受部53，53により両持ち支持されている。そして、第２のブラシ台85と第２の一端側受板86と第２の他端側受板87との外周面には、清掃部材である第２の清掃部材としての第２の毛ブラシ部88が突出している。
【００３２】
第２の一端側受板86は、平坦な円柱状に形成されており、軸方向の一端側に、一方の軸受体64に挿入されるとともに第１の回転ブラシ61の第１の受板78の第１の連結部78bに挿入接続される円柱状の第２の一端側連結部86aが突設されているとともに、軸方向の他端側に、第２のブラシ台85の一端側が挿入嵌合される第２の一端側嵌合凹部86bが凹設されている。
【００３３】
また、第２の他端側受板87は、第１の受板78と同様に、平坦な円柱状に形成されており、軸方向の一端側に、第２のブラシ台85の他端側が挿入嵌合される第２の他端側嵌合凹部87aが凹設されているとともに、軸方向の他端側に、他方の軸受体64に挿入される円筒状(ボス状)の第２の他端側連結部87bが突設されている。
【００３４】
さらに、第２の毛ブラシ部88は、第２のブラシ台85の外周面から突出する第２の軸部清掃部材としての第２のブラシ台毛ブラシ部91と、第２の一端側受板86の外周面から突出する第２の一端側保持部清掃部材としての第２の一端側受板毛ブラシ部92と、第２の他端側受板87の外周面から突出する第２の他端側保持部清掃部材としての第２の他端側受板毛ブラシ部93とを備えている。
【００３５】
第２のブラシ台毛ブラシ部91は、多数の毛ブラシが第２のブラシ台85の径方向に沿って放射状(直線状)に突出するとともに、第２のブラシ台85の軸方向の両端間に亘って連続的に配置されて構成され、例えば全体として螺旋状となっている。
【００３６】
また、第２の一端側受板毛ブラシ部92は、多数の毛ブラシが第２の一端側受板86の外周面に対して略垂直状に突出して構成された第２の一端側直毛部92aと、多数の毛ブラシが第２の一端側受板86の外周面に対して傾斜状に突出して構成された第２の一端側傾斜毛部92bとを有し、複数、例えば２つの第２の一端側直毛部92aと、複数、例えば２つの第２の一端側傾斜毛部92bとが、第２の一端側受板86の周方向に交互に配置されている。すなわち、第２の一端側直毛部92aと第２の一端側傾斜毛部92bとは、第２の一端側受板86の周方向に所定角度(９０°)ずつ配置されている。
【００３７】
第２の一端側直毛部92aは、床ブラシ23を床面上に載置した状態で直下の床面と接触し、この床面に付着した(入り込んだ)塵埃を掻き出すものである。
【００３８】
また、第２の一端側傾斜毛部92bは、一方の軸受体64側へと、この一方の軸受体64を覆うように例えば４５°程度の角度で傾斜している。すなわち、この第２の一端側傾斜毛部92bは、第１の回転ブラシ61側へと傾斜している。また、この第２の一端側傾斜毛部92bは、第２の一端側受板86の外周面からの径方向に沿う突出寸法L3が、第２の一端側受板86の外周面からの径方向に沿う第２の一端側直毛部92aの突出寸法L4と略等しく設定されている。すなわち、第２の一端側傾斜毛部92bの先端と第２の一端側直毛部92aの先端とは、第２の一端側受板86の中心軸を中心とする同一円周上に位置している。さらに、この第２の一端側傾斜毛部92bは、第１の回転ブラシ61と第２の回転ブラシ62とを接続した状態で、第１の受板78の第１の傾斜毛部82bと周方向にずれるように位置している。すなわち、第１の回転ブラシ61と第２の回転ブラシ62とを接続した状態で、第１の受板78の第１の傾斜毛部82bが第２の一端側受板86の第２の一端側直毛部92aに対向して位置し、第２の一端側受板86の第２の一端側傾斜毛部92bが第１の受板78の第１の直毛部82aに対向して位置する。換言すれば、第１の直毛部82aおよび第１の傾斜毛部82bと、第２の一端側直毛部92aおよび第２の一端側傾斜毛部92bとが、回転ブラシ61，62の周方向に互い違いとなっている。そして、この第２の一端側傾斜毛部92bは、床ブラシ23を床面上に載置した状態で一方の軸受部53の下方の床面と接触し、この一方の軸受部53の下方の床面に付着した(入り込んだ)塵埃を掻き出すものである。
【００３９】
また、第２の他端側受板毛ブラシ部93は、多数の毛ブラシが第２の他端側受板87の外周面に対して略垂直状に突出して構成された第２の他端側直毛部93aと、多数の毛ブラシが第２の他端側受板87の外周面に対して傾斜状に突出して構成された第２の他端側傾斜毛部93bとを有し、複数、例えば２つの第２の他端側直毛部93aと、複数、例えば２つの第２の他端側傾斜毛部93bとが、第２の他端側受板87の周方向に交互に配置されている。すなわち、第２の他端側直毛部93aと第２の他端側傾斜毛部93bとは、第２の他端側受板87の周方向に所定角度(９０°)ずつ配置されている。
【００４０】
第２の他端側直毛部93aは、床ブラシ23を床面上に載置した状態で直下の床面と接触し、この床面に付着した(入り込んだ)塵埃を掻き出すものである。
【００４１】
また、第２の他端側傾斜毛部93bは、他方の軸受体64側へと、この他方の軸受体64を覆うように例えば４５°程度の角度で傾斜している。すなわち、この第２の他端側傾斜毛部93bは、第３の回転ブラシ63側へと傾斜している。また、この第２の他端側傾斜毛部93bは、第２の他端側受板87の外周面からの径方向に沿う突出寸法L5が、第２の他端側受板87の外周面からの径方向に沿う第２の他端側直毛部93aの突出寸法L6と略等しく設定されている。すなわち、第２の他端側傾斜毛部93bの先端と第２の他端側直毛部93aの先端とは、第２の他端側受板87の中心軸を中心とする同一円周上に位置している。そして、この第２の他端側傾斜毛部93bは、床ブラシ23を床面上に載置した状態で他方の軸受部53の下方の床面と接触し、この他方の軸受部53の下方の床面に付着した(入り込んだ)塵埃を掻き出すものである。
【００４２】
また、第３の回転ブラシ63は、第３の収容部57に左右幅方向(長手方向)に沿って収容されるものであり、第３の軸部としての略円柱状(円筒状)の第３のブラシ台95と、この第３のブラシ台95の一端側を保持して他方の軸受体64により他方の軸受部53に軸支される第３の保持部としての第３の受板96とを有している。すなわち、この第３の回転ブラシ63は、他方の軸受部53により片持ち支持されている。そして、第３のブラシ台95と第３の受板96との外周面には、清掃部材である第３の清掃部材としての第３の毛ブラシ部97が突出している。
【００４３】
第３のブラシ台95は、一端側が他方の連通口51からケース体31(下ケース35)の他側に露出し、この他方の連通口51からケース体31(下ケース35)の側方へと若干突出している。
【００４４】
また、第３の受板96は、平坦な円柱状に形成されており、軸方向の一端側に、他方の軸受体64に挿入されるとともに第２の回転ブラシ62の第２の他端側受板87の第２の他端側連結部87bに挿入接続される円柱状の第３の連結部96aが突設されているとともに、軸方向の他端側に、第３のブラシ台95の一端側が挿入嵌合される第３の嵌合凹部96bが凹設されている。
【００４５】
さらに、第３の毛ブラシ部97は、第３のブラシ台95の外周面から突出する第３の軸部清掃部材としての第３のブラシ台毛ブラシ部101と、第３の受板96の外周面から突出する第３の保持部清掃部材としての第３の受板毛ブラシ部102とを備えている。
【００４６】
第３のブラシ台毛ブラシ部101は、多数の毛ブラシが第３のブラシ台95の径方向に沿って放射状(直線状)に突出するとともに、第３のブラシ台95の軸方向の両端間に亘って連続的に配置されて構成され、例えば全体として螺旋状となっている。
【００４７】
また、第３の受板毛ブラシ部102は、多数の毛ブラシが第３の受板96の外周面に対して略垂直状に突出して構成された第３の直毛部102aと、多数の毛ブラシが第３の受板96の外周面に対して傾斜状に突出して構成された第３の傾斜毛部102bとを有し、複数、例えば２つの第３の直毛部102aと、複数、例えば２つの第３の傾斜毛部102bとが、第３の受板96の周方向に交互に配置されている。すなわち、第３の直毛部102aと第３の傾斜毛部102bとは、第３の受板96の周方向に所定角度(９０°)ずつ配置されている。
【００４８】
第３の直毛部102aは、床ブラシ23を床面上に載置した状態で直下の床面と接触し、この床面に付着した(入り込んだ)塵埃を掻き出すものである。
【００４９】
また、第３の傾斜毛部102bは、他方の軸受体64側へと、この他方の軸受体64を覆うように例えば４５°程度の角度で傾斜している。すなわち、この第３の傾斜毛部102bは、第２の回転ブラシ62側へと傾斜している。また、この第３の傾斜毛部102bは、第３の受板96の外周面からの径方向に沿う突出寸法L7が、第３の受板96の外周面からの径方向に沿う第３の直毛部102aの突出寸法L8と略等しく設定されている。すなわち、第３の傾斜毛部102bの先端と第３の直毛部102aの先端とは、第３の受板96の中心軸を中心とする同一円周上に位置している。さらに、この第３の傾斜毛部102bは、第２の回転ブラシ62と第３の回転ブラシ63とを接続した状態で、第２の他端側受板87の第２の他端側傾斜毛部93bと周方向にずれるように位置している。すなわち、第２の回転ブラシ62と第３の回転ブラシ63とを接続した状態で、第２の他端側受板87の第２の他端側傾斜毛部93bが第３の受板96の第３の直毛部102aに対向して位置し、第３の受板96の第３の傾斜毛部102bが第２の他端側受板87の第２の他端側直毛部93aに対向して位置する。換言すれば、第２の他端側直毛部93aおよび第２の他端側傾斜毛部93bと、第３の直毛部102aおよび第３の傾斜毛部102bとが、回転ブラシ62，63の周方向に互い違いとなっている。そして、この第３の傾斜毛部102bは、床ブラシ23を床面上に載置した状態で他方の軸受部53の下方の床面と接触し、この他方の軸受部53の下方の床面に付着した(入り込んだ)塵埃を掻き出すものである。
【００５０】
そして、各軸受体64は、各軸受部53の嵌合部65に嵌合される軸受体本体105と、この軸受体本体105に圧入される軸受106とを備えている。
【００５１】
軸受体本体105は、平坦な角筒状に形成されており、中央部に、軸受106が圧入される圧入孔105aが形成されており、この圧入孔105aの内部には、軸受106を受け止めて位置決めする段差部105bが形成されている。また、軸受体本体105の前後両側には、係合凹部66に挿入嵌合される図示しない半円状の凸部がそれぞれ突設されている。
【００５２】
また、軸受106は、例えば含油メタルなどにより形成されたものであり、中央部に円形状の軸受孔106aが形成されている。この軸受孔106aは、第１の受板78の第１の連結部78b、あるいは第２の他端側受板87の第２の他端側連結部87bが挿入される部分である。さらに、この軸受106には、軸受体本体105の段差部105bに当接することで軸受106を軸受体本体105に対して位置決めして係止する段差状の係止段差部106bが形成されている。
【００５３】
また、吸引口45は、ケース体31(下ケース35)の前側外部とブラシ収容部44とを連通して第１ないし第３の回転ブラシ61〜63を回転駆動させる吸気風を第１ないし第３の収容部55〜57へと吸引するものであり、ブラシ収容部44の第１ないし第３の収容部55〜57のそれぞれに対応する位置に配置され、下ケース35の前面部108の下端側を切り欠いて形成されている。
【００５４】
また、起毛布47は、床ブラシ23(ケース体31)を床面上で走行させた際の床面の傷付きを防止するとともに床面の塵埃を掻き取るものである。
【００５５】
次に、上記第１の実施形態の作用を説明する。
【００５６】
床ブラシ23に回転ブラシ61〜63を組み込む際には、まず、第１のブラシ台77の他端側を第１の受板78の第１の嵌合凹部78aに挿入嵌合するとともに、軸受体本体105の圧入孔105aに軸受106を予め圧入した軸受体64に対して、第１の受板78の第１の連結部78bを軸受孔106aに一側から挿入する。そして、第２のブラシ台85の一端側を第２の一端側嵌合凹部86bに挿入嵌合した第２の一端側受板86の第２の一端側連結部86aを、軸受体64の軸受孔106aに他側から挿入し、第１の連結部78bに挿入して嵌着させる。この結果、第１の回転ブラシ61と第２の回転ブラシ62とが、軸受体64を挟み込んだ状態で連結される。
【００５７】
同様に、第２のブラシ台85の他端側を第２の他端側受板87の第２の他端側嵌合凹部87aに挿入嵌合するとともに、軸受体本体105の圧入孔105aに軸受106を予め圧入した軸受体64に対して、第２の他端側受板87の第２の他端側連結部87bを軸受孔106aに一側から挿入する。そして、第３のブラシ台95の一端側を第３の嵌合凹部96bに挿入嵌合した第３の受板96の第３の連結部96aを、軸受体64の軸受孔106aに他側から挿入し、第２の他端側連結部87bに挿入して嵌着させる。この結果、第２の回転ブラシ62と第３の回転ブラシ63とが、軸受体64を挟み込んだ状態で連結される。したがって、第１ないし第３の回転ブラシ61〜63が軸受体64，64を介して一直線状に連結される。
【００５８】
この状態で、各軸受体64の軸受体本体105を、各軸受部53の嵌合部65にそれぞれ嵌合させるとともに、係合凹部66，66に凸部をそれぞれ係止することで、各軸受体64を各軸受部53に係止固定する。この結果、第１ないし第３の回転ブラシ61〜63が第１ないし第３の収容部55〜57にそれぞれ収容され、ブラシ収容部44に回転可能に収容される。
【００５９】
そして、掃除の際には、掃除機本体12の本体吸込口19にホース体21の接続管部26を接続し、このホース体21の手元操作部27に延長管22を接続し、この延長管22に床ブラシ23の接続管32を接続する。この結果、床ブラシ23が、(延長管22、ホース体21、本体吸込口19および集塵部を介して)電動送風機18の吸込側に連通接続される。
【００６０】
作業者は、電源コードを壁面などのコンセントに接続した後、把持部28を把持し、所望の設定ボタン29を操作することにより、本体制御部を介して電動送風機18を所望の動作モードで起動させる。この電動送風機18の駆動により、負圧が集塵部、本体吸込口19、ホース体21、延長管22および床ブラシ23の吸込口71および吸気口68，74へと順次作用する。したがって、床ブラシ23を床面上に載置した状態で、吸気風が形成され、この吸気風が、各吸引口45から第１ないし第３の収容部55〜57(ブラシ収容部44)へと後方に向けて吸い込まれ、第１ないし第３の毛ブラシ部79，88，97に吹き付けられて、第１ないし第３の回転ブラシ61〜63を一体的に回転させる。
【００６１】
そして、作業者は、床ブラシ23を床面上で前後に走行させることで、第１ないし第３の回転ブラシ61〜63の第１ないし第３の毛ブラシ部79，88，97によって床面の塵埃を掻き出しつつ、吸込口71および吸気口68，74から吸い込む。このとき、第１ないし第３の毛ブラシ部79，88，97は、各ブラシ台毛ブラシ部81，91，101が床面の塵埃を掻き出すとともに、各直毛部82a，92a，93a，102aが直下の床面の塵埃を掻き出し、かつ、各傾斜毛部82b，92b，93b，102bが回転ブラシ61〜63の連結部である軸受部53(軸受体64)の位置の下側の床面の塵埃を掻き出す。したがって、第１ないし第３の毛ブラシ部79，88，97は、ブラシ収容部44の一側から他側に亘って、すなわち一方の連通口51から他方の連通口51に亘るケース体31の左右幅方向全体の床面の塵埃を、死角を作ることなく全体に亘って掻き出すことができる。なお、各傾斜毛部82b，92b，93b，102bは、軸受部53の先端側の傾斜部67，67によって左右に掻き分けられるため、各ブラシ台毛ブラシ部81，91，101の軸受部53側に傾斜した部分、および、各傾斜毛部82b，92b，93b，102bが他部との接触などで摩耗することがない。
【００６２】
そして、吸込口71から吸い込まれた吸気風は、塵埃とともに吸込風路72へと流れ、吸気口68，74から吸い込まれた吸気風は、連通風路75を介して塵埃とともに吸込風路72へと流れる。そして、この吸込風路72を通過した吸気風は、接続管32、延長管22、ホース体21、本体吸込口19を介して集塵部へと吸い込まれ、集塵部において塵埃が分離捕集される。また、塵埃が捕集された吸気風は、電動送風機18へと吸い込まれ、この電動送風機18を冷却した後、排気されて排気風となり、掃除機本体12の外部へと排気される。
【００６３】
上述したように、上記第１の実施形態によれば、ブラシ収容部44の前部に設けた各吸引口45から吸い込んだ空気を回転ブラシ61〜63に当ててこれら回転ブラシ61〜63を回転させることにより、これら回転ブラシ61〜63を回転させる駆動手段を別途設ける必要がなく、床ブラシ23の構成の簡略化、床ブラシ23の小型化および軽量化などが可能になる。
【００６４】
次に、第２の実施形態を図９ないし図１２を参照して説明する。なお、上記第１の実施形態と同様の構成および作用については、同一符号を付してその説明を省略する。
【００６５】
この第２の実施形態は、上記第１の実施形態の第１ないし第３の回転ブラシ61〜63を、駆動手段としての電動機111により回転駆動させるものである。
【００６６】
この電動機111は、ブラシ収容部44の後方の位置にてケース体31内に配置されている。また、この電動機111は、左右幅方向に沿って軸方向を有しており、ケース体31の左右幅方向の中心側に向けて、回転軸111aが突出している。
【００６７】
この回転軸111aの先端部には、プーリ111bが一体的に取り付けられており、このプーリ111bと第１ないし第３の回転ブラシ61〜63のいずれか、例えば本実施形態では第３の回転ブラシ63との間に無端状にベルト112が巻き掛けられている。
【００６８】
そして、電動機111は、ケース体31内に収容された図示しない回路基板などに形成された制御回路によって駆動が制御される。この制御回路は、例えば設定ボタン29と電気的に接続されており、電動送風機18が駆動している状態で、設定ボタン29の操作によって電動機111のオンオフを切り換えるように構成されている。
【００６９】
また、第３の回転ブラシ63は、第３の受板96の他端側の外周面に、駆動伝達部である接続部115が一体形成されている。すなわち、この接続部115は、第３の受板96と同軸の円筒状となっており、外周面にベルト112が巻き掛けられている。
【００７０】
ここで、第３の回転ブラシ63の第３の受板96の外周面に配置された第３の受板毛ブラシ部102は、第３の直毛部102aおよび第３の傾斜毛部102bの他に、接続部115(ベルト112)側へと傾斜状に突出する第３の傾斜突出毛部102cを備えており、複数、例えば３つの第３の直毛部102aと、複数、例えば３つの第３の傾斜毛部102bと、複数、例えば３つの第３の傾斜突出毛部102cとが、第３の受板96の周方向に順次配置されている。すなわち、第３の直毛部102aと第３の傾斜毛部102bと第３の傾斜突出毛部102cとは、第３の受板96の周方向に所定角度(４０°)ずつ配置されている。さらに、第３の回転ブラシ63の第３のブラシ台毛ブラシ部101は、第３のブラシ台95の軸方向の一端側である他方の軸受部53側の一部に、この他方の軸受部53に向けて傾斜状に突出した傾斜毛部101aを備えている。
【００７１】
また、第３の傾斜突出毛部102cは、第３の受板96の外周面からの径方向に沿う突出寸法L9が、第３の受板96の外周面からの径方向に沿う第３の傾斜毛部102bの突出寸法L7と略等しく設定されている。すなわち、第３の傾斜突出毛部102cの先端、第３の直毛部102aの先端、および、第３の傾斜毛部102bの先端は、第３の受板96の中心軸を中心とする同一円周上に位置している。
【００７２】
また、第２の回転ブラシ62の第２の他端側受板87の外周面に配置された第２の他端側受板毛ブラシ部93は、第２の他端側直毛部93aおよび第２の他端側傾斜毛部93bの他に、第２のブラシ台85側へと傾斜状に突出する第２の他端側傾斜突出毛部93cを備えており、複数、例えば３つの第２の他端側直毛部93aと、複数、例えば３つの第２の他端側傾斜毛部93bと、複数、例えば３つの第２の他端側傾斜突出毛部93cとが、第２の他端側受板87の周方向に順次配置されている。すなわち、第２の他端側直毛部93aと第２の他端側傾斜毛部93bと第２の他端側傾斜突出毛部93cとは、第２の他端側受板87の周方向に所定角度(４０°)ずつ配置されている。
【００７３】
さらに、第２の回転ブラシ62と第３の回転ブラシ63とを接続した状態で、第２の他端側直毛部93aと第３の直毛部102aとが対向して位置し、第２の他端側傾斜毛部93bと第３の他端側傾斜突出毛部102cとが対向して位置し、かつ、第２の他端側突出傾斜毛部93cと第３の傾斜毛部102bとが対向して位置している。また、第３のブラシ台毛ブラシ部101の傾斜毛部101aは、第２の他端側傾斜毛部93bと対向して位置している。
【００７４】
そして、ベルト112および接続部115は、第３の収容部57内にて他方の軸受部53の側方にリブ状に突設されたガイド部117，117により支持されている。これらガイド部117，117は、先端側(下端側)が他方の軸受部53の先端側(下端側)よりも下方に延びて位置しており、これらガイド部117，117間に、ベルト112が収容されている。また、ガイド部117，117には、接続部115を含む第３の受板96を挿通する挿通開口118，118が開口形成されている。さらに、これらガイド部117，117の先端側には、ベルト112側へと傾斜したガイド傾斜部119，119が形成されている。これらガイド傾斜部119，119は、第３の受板毛ブラシ部102の第３の傾斜毛部102bと、第３のブラシ台毛ブラシ部101の傾斜毛部101aとをそれぞれ左右に掻き分けるものである。
【００７５】
さらに、ケース体31には、ブラシ収容部44の後方の一側に、四角形状の開口部121が形成されており、この開口部121には、床ブラシ23が床面に接触(接地)しているかどうかを検出するための接触センサである安全装置122が接触部である接触輪122aを突出させた状態で配置されている。
【００７６】
そして、掃除の際、電動送風機18が動作している状態で、使用者が設定ボタン29を操作することで、制御回路が電動機111をオンする。電動機111の回転駆動は、回転軸111aに取り付けられたプーリ111bと接続部115との間に亘って巻き掛けられたベルト112によって第３の回転ブラシ63へと伝達され、この第３の回転ブラシ63、および、この第３の回転ブラシ63と一体的に連結された第１および第２の回転ブラシ61，62が一体的に回転し、第１ないし第３の毛ブラシ部79，88，97が、各ブラシ台毛ブラシ部81，91，101が床面の塵埃を掻き出すとともに、各直毛部82a，92a，93a，102aが直下の床面の塵埃を掻き出し、かつ、各傾斜毛部82b，92b，93b，102bが回転ブラシ61〜63の連結部である軸受部53(軸受体64)の位置の下側の床面の塵埃を掻き出す。なお、第３のブラシ台毛ブラシ部101の傾斜毛部101a、および、第３の傾斜毛部102bは、ガイド部117，117の先端側のガイド傾斜部119，119によって左右に掻き分けられる。
【００７７】
このように、上記第２の実施形態によれば、電動機111のプーリ111bと回転ブラシ61〜63側の接続部115とをベルト112によって接続して、回転ブラシ61〜63を電動機111によって回転駆動させることにより、床面の塵埃をより強力な回転力で各毛ブラシ部79，88，97によって掻き出すことができるとともに、ベルト112および接続部115が第３の傾斜突出毛部102cおよび第３のブラシ台毛ブラシ部101の一端側の傾斜した部分によって覆われているので、ベルト112および接続部115の下側の床面の塵埃を掻き出すことができ、ブラシ収容部44の一側から他側に亘って、すなわち一方の連通口51から他方の連通口51に亘るケース体31の左右幅方向全体の床面の塵埃を、死角を作ることなく全体に亘って掻き出すことができるとともに、ベルト112および接続部115が塵埃の付着により汚損することを抑制できる。
【００７８】
また、ベルト112を収容するガイド部117，117の先端側をベルト112側へと傾斜させたガイド傾斜部119，119とすることにより、第３のブラシ台毛ブラシ部101の傾斜毛部101a、および、第３の傾斜毛部102bは、ガイド部117，117の先端側のガイド傾斜部119，119によって左右に掻き分けられ、回転ブラシ61〜63の回転時の負荷を低減できるとともに、第３のブラシ台毛ブラシ部101の一端側の軸受部53側に傾斜した部分、および、第３の傾斜毛部102bが他部と接触して摩耗することがない。
【００７９】
なお、上記第２の実施形態において、電動機111のプーリ111bとの間にベルト112を巻き掛ける接続部は、第１の回転ブラシ61、あるいは第２の回転ブラシ62に設けてもよい。この場合には、第１の受板78、あるいは、第２の一端側受板86または第２の他端側受板87に接続部を一体形成することで、上記第２の実施形態と同様の作用効果を奏することができる。
【００８０】
そして、以上説明した少なくとも１つの実施形態によれば、両側がケース体31の側部に開口するブラシ収容部44の両側よりも中心側の位置に設けた軸受部53，53を両側から挟んで回転ブラシ61〜63を互いに連結して軸受部53，53に軸支してブラシ収容部44の両側近傍間に亘って位置させることにより、ブラシ収容部44の一側から他側に亘って、すなわち一方の連通口51から他方の連通口51に亘るケース体31の左右幅方向全体の床面の塵埃を、死角を作ることなく全体に亘って掻き出すことができ、塵埃を掻き出し可能な範囲を拡大できる。
【００８１】
したがって、床ブラシ23と同じ幅の範囲の床面の塵埃を一度に除去できる。
【００８２】
また、第２の収容部56と連通してケース体31に設けられた吸込風路72に対して連通する連通風路75を、軸受部53，53の近傍にて第１および第３の収容部55，57に連通して設けることにより、吸込口71により第２の収容部56内に気流を発生させるだけでなく、軸受部53，53近傍の吸気口68，74から連通風路75へと、第１および第３の収容部55，57内に気流を発生させることができる。そのため、ブラシ収容部44内の乱流や、軸受部53，53による気流の阻害に拘らず、軸受部53，53近傍の塵埃を確実に吸い込むことができる。
【００８３】
さらに、第１ないし第３の回転ブラシ61〜63の各傾斜毛部82b，92b，93b，102bを、軸受部53，53を覆うように傾斜状に突出させることにより、軸受部53，53の下側に位置する床面の塵埃を、これら各傾斜毛部82b，92b，93b，102bによって、より確実に掻き出すことができる。
【００８４】
また、各軸受部53の下端側を左右方向に接近させるように傾斜させた傾斜部67，67とすることにより、第１ないし第３の回転ブラシ61〜63の各傾斜毛部82b，92b，93b，102bを左右に掻き分け、回転ブラシ61〜63の回転時の負荷を低減できるとともに、第１ないし第３の回転ブラシ61〜63の各傾斜毛部82b，92b，93b，102bが他部と接触して摩耗することがなく、さらに、軸受体64への塵埃の付着およびこの付着により生じる例えば回転停止(ロック)などの不具合を抑制できる。
【００８５】
そして、上記床ブラシ23を備えることにより、床面の広い範囲を効率よく掃除できる電気掃除機11を提供できる。
【００８６】
なお、上記各実施形態において、電気掃除機11としては、キャニスタ型に限らず、縦長の掃除機本体12の下部に床ブラシ23が接続された、アップライト型の電気掃除機などでも対応して用いることができる。
【００８７】
そして、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８８】
11    電気掃除機
12    掃除機本体
18    電動送風機
23    吸込口体としての床ブラシ
31    ケース体
44    回転清掃体収容部としてのブラシ収容部
53    軸受部
55    収容部である第１の収容部
56    収容部である第２の収容部
57    収容部である第３の収容部
61    回転清掃体としての第１の回転ブラシ
62    回転清掃体としての第２の回転ブラシ
63    回転清掃体としての第３の回転ブラシ
72    吸込風路
75    連通風路
79    清掃部材である第１の毛ブラシ部
88    清掃部材である第２の毛ブラシ部
97    清掃部材である第３の毛ブラシ部
111   駆動手段としての電動機
112   ベルト
115   接続部
117   ガイド部
【図１】
2013102861.tif 000003
【図２】
2013102861.tif 000004
【図３】
2013102861.tif 000005
【図４】
2013102861.tif 000006
【図５】
2013102861.tif 000007
【図６】
2013102861.tif 000008
【図７】
2013102861.tif 000009
【図８】
2013102861.tif 000010
【図９】
2013102861.tif 000011
【図１０】
2013102861.tif 000012
【図１１】
2013102861.tif 000013
【図１２】
2013102861.tif 000014